(57)【要約】【課題】電子装置のタッチモードを切り換える時にユーザーをさらに便利にさせる電子装置及びそのタッチモード切換方法を提供すること。【解決手段】電子装置のタッチスクリーンは、複数のタッチモードを有し、タッチスクリーンの現在のタッチモードがこれらのタッチモードのうちの一つである。タッチモード切換方法は、以下のステップを含む。まず、電子装置のボタンモジュールが提供するトリガー信号のパルス数に基づき、ボタンモジュールが押された回数を判断する。それから、ボタンモジュールが押された回数に基づき、ルックアップテーブルにおいて、これらのタッチモードの第一タッチモードを探し出す。それから、タッチスクリーンの現在のタッチモードを第一タッチモードに切り換える。【選択図】図２
2019125348.tif 000002
【特許請求の範囲】
【請求項１】
電子装置のタッチスクリーンの複数のタッチモードを切り換えるのに用いられ、前記タッチスクリーンの現在のタッチモードが前記複数のタッチモードのうちの一つであるタッチモード切換方法であって、
前記電子装置のボタンモジュールが提供するトリガー信号のパルス数に基づき、前記ボタンモジュールが押された回数を判断することと、
前記ボタンモジュールが押された前記回数に基づき、ルックアップテーブルにおいて、前記複数のタッチモードの第一タッチモードを探し出すことと、
前記タッチスクリーンの前記現在のタッチモードを前記第一タッチモードに切り換えることと、を含む、
タッチモード切換方法。
【請求項２】
前記複数のタッチモードに基づき、前記ルックアップテーブルを設け、前記ルックアップテーブルを前記電子装置のストレージに保存することを、さらに含み、
前記ルックアップテーブルは、
複数のインデックス値と、
前記複数のタッチモードと、を含み、前記複数のタッチモードのそれぞれは、前記複数のインデックス値のうちの一つに対応する、
請求項１に記載のタッチモード切換方法。
【請求項３】
前記ボタンモジュールが押された前記回数に基づき、前記ルックアップテーブルにおいて、前記第一タッチモードを探し出すステップは、
前記回数と前記複数のインデックス値を比較して、前記複数のタッチモードにおいて、前記回数に対応する前記第一タッチモードを探し出すことを含む、
請求項２に記載のタッチモード切換方法。
【請求項４】
前記ボタンモジュールが押された前記回数に基づき、前記ルックアップテーブルにおいて、前記第一タッチモードを探し出すステップは、
前記現在のタッチモードと前記複数のタッチモードを比較して、前記複数のインデックス値において、前記現在のタッチモードに対応する第一インデックス値を探し出すことと、
下記式（１）に基づき、第二インデックス値を算出することと、
前記第二インデックス値と前記複数のインデックス値を比較して、前記複数のタッチモードにおいて、前記第二インデックス値に対応する前記第一タッチモードを探し出すことと、を含む、
請求項２に記載のタッチモード切換方法。
【数１】
2019125348.tif 000006
ここで、ＩＮＸ２は、前記第二インデックス値、ＩＮＸ１は、前記第一インデックス値、Ｎは、前記ボタンモジュールが押された前記回数、Ｍは、前記複数のタッチモード数、％は、余りを得るための数学演算子である。
【請求項５】
前記電子装置が立ち下げ動作を実行する時、前記タッチスクリーンの前記現在のタッチモードを保存して、プリセットタッチモードとすることをさらに含み、
前記タッチスクリーンの前記現在のタッチモードを前記複数のタッチモードのうちの一つに設定するステップは、
前記電子装置が立ち上げ動作を実行する時、前記タッチスクリーンの前記現在のタッチモードを前記プリセットタッチモードに設定することを含む、
請求項１に記載のタッチモード切換方法。
【請求項６】
複数のタッチモードを有し、現在のタッチモードが前記複数のタッチモードのうちの一つであるタッチスクリーンと、
ボタンを有し、前記ボタンが押されることに反応して、トリガー信号を発生させるボタンモジュールと、
前記タッチスクリーンに結合され、前記トリガー信号を受信し、前記トリガー信号のパルス数に基づき、前記ボタンが押された回数を判断し、押された前記回数に基づき、ルックアップテーブルにおいて、前記複数のタッチモードの第一タッチモードを探し出し、前記タッチスクリーンの前記現在のタッチモードを前記第一タッチモードに切り換えるコントローラと、を含む、
電子装置。
【請求項７】
前記コントローラに結合されるストレージをさらに備え、
前記コントローラは、前記複数のタッチモードに基づき、前記ルックアップテーブルを設け、前記ルックアップテーブルを前記ストレージに保存し、
前記ルックアップテーブルは、
複数のインデックス値と、
前記複数のタッチモードと、を含み、前記複数のタッチモードのそれぞれは、前記複数のインデックス値のうちの一つとに対応する、
請求項６に記載の電子装置。
【請求項８】
前記コントローラは、前記回数と前記複数のインデックス値を比較して、前記複数のタッチモードにおいて、前記回数に対応する前記第一タッチモードを探し出す、
請求項７に記載の電子装置。
【請求項９】
前記コントローラは、前記現在のタッチモードと前記複数のタッチモードを比較して、前記複数のインデックス値において、前記現在のタッチモードに対応する第一インデックス値を探し出し、
前記コントローラは、下記式（２）に基づき、第二インデックス値を算出し、
前記コントローラは、前記第二インデックス値と前記複数のインデックス値を比較して、前記複数のタッチモードにおいて、前記第二インデックス値に対応する前記第一タッチモードを探し出す、
請求項７に記載の電子装置。
【数２】
2019125348.tif 000007
ここで、ＩＮＸ２は、前記第二インデックス値、ＩＮＸ１は、前記第一インデックス値、Ｎは、前記ボタンが押された前記回数、Ｍは、前記複数のタッチモード数、％は、余りを得るための数学演算子である。
【請求項１０】
前記電子装置が立ち下げ動作を実行する時、前記コントローラは、前記タッチスクリーンの前記現在のタッチモードを保存して、プリセットタッチモードとし、
前記電子装置が立ち上げ動作を実行する時、前記コントローラは、前記タッチスクリーンの前記現在のタッチモードを前記プリセットタッチモードに設定する、
請求項６に記載の電子装置。
【発明の詳細な説明】
【技術分野】
【０００１】
本発明はタッチ技術に関し、特にタッチモード切換方法及びこの方法を用いた電子装置に関する。
【背景技術】
【０００２】
タッチ技術の発展に伴い、電子装置のタッチスクリーンは、通常、複数のタッチモード、例えば、ハンドタッチモード、雨天モード、タッチペンモードまたはグローブモード等を支援して、電子装置の使用上の柔軟性を増加させる。しかしながら、ユーザーは、タッチスクリーンのタッチモードを切り換えようとする時、ユーザーは、通常、電子装置の作業システムにおいて、使用しようとするタッチモードのアプリケーションプログラムを検索して実行しないと、タッチスクリーンは、ユーザーが使用しようとするタッチモードに上手く切り換えることができない。
【０００３】
例を挙げると、ユーザーがタッチスクリーンをハンドタッチモードから雨天モードに切り換えようとする時、ユーザーは、電子装置の作業システムにおいて、雨天モードのアプリケーションプログラムを検索して実行して、タッチスクリーンの動作モードを雨天モードにする。ユーザーがタッチスクリーンのタッチモードを切り換えようとする毎に、上記動作を再実行しなければならず、このように、ユーザーの不便をもたらす。
【発明の概要】
【発明が解決しようとする課題】
【０００４】
これに鑑みて、本発明は、電子装置のタッチモードを切り換える時にユーザーをさらに便利にさせる電子装置及びそのタッチモード切換方法を提供する。
【課題を解決するための手段】
【０００５】
本発明の電子装置は、タッチスクリーンと、ボタンモジュールと、コントローラと、を含む。タッチスクリーンは、複数のタッチモードを有する。タッチスクリーンの現在のタッチモードがこれらのタッチモードのうちの一つである。ボタンモジュールは、ボタンを有する。ボタンモジュールは、ボタンが押されることに反応して、トリガー信号を発生させる。コントローラは、タッチスクリーンに結合され、ボタンモジュールに結合されて、トリガー信号を受信する。コントローラは、トリガー信号のパルス数に基づき、ボタンが押された回数を判断し、押された回数に基づき、ルックアップテーブルにおいて、これらのタッチモードの第一タッチモードを探し出し、タッチスクリーンの現在のタッチモードを第一タッチモードに切り換える。
【０００６】
本発明のタッチモード切換方法は、電子装置のタッチスクリーンの複数のタッチモードを切り換えるのに用いられ、タッチスクリーンの現在のタッチモードがこれらのタッチモードのうちの一つである。タッチモード切換方法は、以下のステップを含む。まず、電子装置のボタンモジュールが提供するトリガー信号のパルス数に基づき、ボタンモジュールが押された回数を判断する。それから、ボタンモジュールが押された回数に基づき、ルックアップテーブルにおいて、これらのタッチモードの第一タッチモードを探し出す。それから、タッチスクリーンの現在のタッチモードを第一タッチモードに切り換える。
【発明の効果】
【０００７】
上述に基づき、本発明の実施形態が提出する電子装置及びそのタッチモード切換方法において、コントローラは、ボタンが押された回数に基づき、タッチスクリーンの現在のタッチモードを自動で切り換えることができ、したがって、電子装置の使用上の利便性を向上させることができる。
【０００８】
本発明の上述した特徴と利点を更に明確化するために、以下に、実施例を挙げて図面と共に詳細な内容を説明する。
【図面の簡単な説明】
【０００９】
【図１】本発明の実施形態に基づき図示された電子装置の回路ブロック模式図である。
【図２】本発明の実施形態に基づき図示されたタッチモード切換方法のステップフロー図である。
【図３】本発明の実施形態に基づき図示された図２のステップＳ２２０の詳細なステップフロー図である。
【図４】本発明の実施形態に基づき図示された図２のステップＳ２３０の詳細なステップフロー図である。
【図５】本発明の別の実施形態に基づき図示された図２のステップＳ２３０の詳細なステップフロー図である。
【図６】本発明の実施形態に基づき図示された図１の電子装置の外観模式図である。
【発明を実施するための形態】
【００１０】
本発明の内容をさらに容易に明瞭にするために、本発明を確実に実施できる実施例として実施形態を以下に特に挙げる。また、可能な限り、図面及び実施形態で同じ符号を用いる部材は、同じ又は類似する部材を表す。
【００１１】
図１を参照すると、図１は、本発明の実施形態に基づき図示された電子装置の回路ブロック模式図である。電子装置１００は、タッチスクリーン１２０と、ボタンモジュール１４０と、コントローラ１６０と、ストレージ１８０と、を含んでもよいが、本発明はこれに限定しない。本発明の別の実施形態において、ストレージ１８０は、コントローラ１６０に統合することもできる。タッチスクリーン１２０は、例えば、ハンドタッチモード、雨天モード、タッチペンモードまたはグローブモード等の複数のタッチモードを有してもよいが、本発明はこれに限定しない。ボタンモジュール１４０は、ボタン（例えば、物理的なボタン）を有する。ボタンモジュール１４０は、そのボタンが押されることに反応して、トリガー信号ＴＳを発生させることができる。
【００１２】
コントローラ１６０は、タッチスクリーン１２０に結合され、タッチスクリーン１２０の現在のタッチモードが上記複数のタッチモードのうちの一つであることを設定する。コントローラ１６０は、ストレージ１８０に結合され、コントローラ１６０は、上記複数のタッチモードに基づき、ルックアップテーブルＬＵＴを設けて、ルックアップテーブルＬＵＴをストレージ１８０に保存できる。これ以外に、コントローラ１６０は、ボタンモジュール１４０に結合されて、トリガー信号ＴＳを受信する。コントローラ１６０は、トリガー信号ＴＳに基づき、ボタンモジュール１４０のボタンが押された回数を判断して、ボタンが押された回数及びルックアップテーブルＬＵＴに基づき、上記複数のタッチモードにおいて、対応する第一タッチモードを探し出して、タッチスクリーン１２０の現在のタッチモードを第一タッチモードに切り換えることができる。
【００１３】
本発明の実施形態において、ルックアップテーブルＬＵＴは、複数のインデックス値と上記複数のタッチモードを含んでもよく、これらのタッチモードのそれぞれは、これらのインデックス値のうちの一つに対応する。以下に、図１と図２を合わせて電子装置１００の動作を詳細に説明する。
【００１４】
図１と図２を合わせて参照すると、図２は、本発明の実施形態に基づき図示されたタッチモード切換方法のステップフロー図であり、図１の電子装置１００に用いることができるが、本発明はこれに限定しない。まず、ステップＳ２００において、タッチスクリーン１２０の現在のタッチモードが上記複数のタッチモードのうちの一つに設定される（例えば、ハンドタッチモードであるが、これに限定しない）。さらに、本発明の実施形態において、ステップＳ２００は、電子装置１００が立ち上げ動作を実行する時、タッチスクリーン１２０の現在のタッチモードをプリセットタッチモードに設定できるという詳細なステップを含んでもよい。但し、このプリセットタッチモードを如何にして決定するかは、後で詳細に説明する。
【００１５】
それから、ステップＳ２１０において、コントローラ１６０によって上記複数のタッチモードに基づき、ルックアップテーブルＬＵＴを設けて、ルックアップテーブルＬＵＴをストレージ１８０に保存できるが、本発明はこれに限定しない。本発明のその他の実施形態において、ルックアップテーブルＬＵＴは、予め設けられて、ストレージ１８０に保存することもでき、コントローラ１６０によって設ける必要は無く、このようにして、ステップＳ２１０は、省略できる。本発明のその他の実施形態において、ステップＳ２００とステップＳ２１０の実行順序は、互いに交換できる、即ち、ステップＳ２１０は、ステップＳ２００の前に実行できる。
【００１６】
続いて、ステップＳ２２０において、コントローラ１６０によってボタンモジュール１４０が提供するトリガー信号ＴＳに基づき、ボタンモジュール１４０のボタンが押された回数を判断できる。それから、ステップＳ２３０において、コントローラ１６０によってボタンが押された回数及びルックアップテーブルＬＵＴに基づき、上記複数のタッチモードにおいて、対応する第一タッチモードを探し出すことができる（例えば、グローブモードであるが、これに限定しない）。それから、ステップＳ２４０において、コントローラ１６０によってタッチスクリーン１２０の現在のタッチモードを第一タッチモードに切り換えることができる（例えば、ハンドタッチモードからグローブモードに切り換える）。
【００１７】
続いて、ステップＳ２５０において、コントローラ１６０によって電子装置１００は立ち下げ動作を実行するか否か判断できる。ステップＳ２５０の判断結果がＮｏである場合、ステップＳ２２０に戻る。反対に、ステップＳ２５０の判断結果がＹｅｓである場合、ステップＳ２６０に示すように、タッチスクリーン１２０の現在のタッチモードを保存して、プリセットタッチモードとすることができ、このようにして、電子装置１００が次に起動されて立ち上げ動作を実行する時、コントローラ１６０は、タッチスクリーン１２０の現在のタッチモードを上記プリセットタッチモードに設定できる。例を挙げると、電子装置１００は立ち下げ動作を行う時、タッチスクリーン１２０の現在のタッチモードが「雨天モード」である場合、プリセットタッチモードは「雨天モード」に設定される。したがって、電子装置１００が次に起動されて立ち上げ動作を実行する時、コントローラ１６０は、タッチスクリーン１２０の現在のタッチモードを「雨天モード」に設定できる。
【００１８】
本発明のその他の実施形態において、電子装置１００が毎回立ち上げられて立ち上げ動作を実行する時、タッチスクリーン１２０の現在のタッチモードは、上記４種類のタッチモードのうちの一つに固定して設定することもでき、このようにして、ステップＳ２６０は省略できる。
【００１９】
以上より、ユーザーは、ボタンモジュール１４０のボタンを押すだけで、ボタンが押された回数に基づき、電子装置１００に、タッチスクリーン１２０の現在のタッチモードを自動で切り換えさせることができることから、電子装置１００の使用上の利便性を向上させることができる。
【００２０】
以下、図１〜図４を併せて参照すると、図３は、本発明の実施形態に基づき図示された図２のステップＳ２２０の詳細なステップフロー図であり、図４は、本発明の実施形態に基づき図示された図２のステップＳ２３０の詳細なステップフロー図である。図３に示すように、ステップＳ３２１において、ボタンモジュール１４０が提供するトリガー信号ＴＳに基づき、ボタンモジュール１４０のボタンが押されたか否か判断して、判断結果を得ることができる。例を挙げると、ボタンモジュール１４０は、ボタンが押されることに反応して、パルス（ｐｕｌｓｅ）のトリガー信号ＴＳを発生させることができることから、コントローラ１６０は、トリガー信号ＴＳの電圧レベルに変化が生じたか否かに基づき、ボタンモジュール１４０のボタンが押されたか否か判断できる。詳細には、トリガー信号ＴＳに一つ目のパルスが出現した時、コントローラ１６０は、トリガー信号ＴＳの電圧レベルに変化が生じた、例えば、第一電位（例えば、論理低電位）から第二電位（例えば、論理高電位）に変化することを検出でき、したがって、コントローラ１６０は、ボタンモジュール１４０のボタンが押されたことを判断できる。
【００２１】
ステップＳ３２１の判断結果がＮｏである（トリガー信号ＴＳの電圧レベルに変化が生じない）場合、ステップＳ３２１に留まって、ボタンモジュール１４０のボタンが押されたか否かを持続的に検出する。ステップＳ３２１の判断結果がＹｅｓである（トリガー信号ＴＳの電圧レベルに変化が生じた）場合、コントローラ１６０は、トリガー信号ＴＳの立ち上がりエッジ（ｒｉｓｉｎｇ  ｅｄｇｅ）または立ち下がりエッジ（ｆａｌｌｉｎｇ  ｅｄｇｅ）の数をカウントして、トリガー信号ＴＳのパルス数を知り得ることができ、ステップＳ３２３に示すように、トリガー信号ＴＳのパルス数に基づき、ボタンが押された回数を判断できる。また、図２のステップＳ２５０の判断結果がＮｏである場合、ステップＳ３２１を実行する。
【００２２】
以下に、ステップＳ２３０詳細なステップについて説明する。図４に示すように、ステップＳ４３１において、ボタンが押された回数及びルックアップテーブルＬＵＴのインデックス値を比較して、上記複数のタッチモードにおいて、ボタンが押された回数に対応する第一タッチモードを探し出すことができる。
【００２３】
例を挙げると、以下に、タッチスクリーン１２０は、「ハンドタッチモード」、「雨天モード」、「タッチペンモード」、「グローブモード」等の４種類のタッチモードを有すると仮定すると、コントローラ１６０は、上記４種類のタッチモードに基づき、以下の表１に示すルックアップテーブルＬＵＴを設けることができる。ここで、「ハンドタッチモード」、「雨天モード」、「タッチペンモード」、「グローブモード」は、それぞれインデックス値「１」、「２」、「３」、「４」に対応する。これ以外に、タッチスクリーン１２０の現在のタッチモードは、「ハンドタッチモード」に設定する。
【００２４】
上記状況下で、ユーザーがボタンモジュール１４０のボタンを２回押した場合、コントローラ１６０は、ボタンが押された回数（即ち、２回）と表１のインデックス値を比較して、上記４種類のタッチモードにおいて、インデックス値「２」に対応する「雨天モード」を探し出し、「雨天モード」を第一タッチモードとすることができる。このようにして、コントローラ１６０は、タッチスクリーン１２０の現在のタッチモードを「ハンドタッチモード」から「雨天モード」に切り換えることができる。同様に、ユーザーがボタンモジュール１４０のボタンを３回（４回）押した場合、コントローラ１６０は、タッチスクリーン１２０の現在のタッチモードを「タッチペンモード」（「グローブモード」）に切り換えることができる。また、ユーザーがボタンモジュール１４０のボタンを５回以上押した場合、タッチスクリーン１２０は、エラーメッセージを表示することができ、コントローラ１６０は、タッチスクリーン１２０の現在のタッチモードを「ハンドタッチモード」に維持できる。
【表１】
2019125348.tif 000003
【００２５】
以下、図１、図２及び図５を併せて参照すると、図５は、本発明の別の実施形態に基づき図示された図２のステップＳ２３０の詳細なステップフロー図である。図５に示すように、ステップＳ５３１において、タッチスクリーン１２０の現在のタッチモードとルックアップテーブルＬＵＴの複数のタッチモードを比較して、ルックアップテーブルＬＵＴの複数のインデックス値において、現在のタッチモードに対応する第一インデックス値を探し出すことができる。続いて、ステップＳ５３３において、以下の式（１）によって第二インデックス値を算出できる。ここで、式（１）のＩＮＸ２は、第二インデックス値、ＩＮＸ１は、第一インデックス値、Ｎは、ボタンが押された回数、Ｍは、これらのタッチモード数、％は、余りを得るための数学演算子である。それから、ステップＳ５３５において、第二インデックス値とルックアップテーブルＬＵＴの複数のインデックス値を比較して、これらのタッチモードにおいて、第二インデックス値に対応する第一タッチモードを探し出すことができる。
【数１】
2019125348.tif 000004
【００２６】
例を挙げると、以下に、同様に、タッチスクリーン１２０は、「ハンドタッチモード」、「雨天モード」、「タッチペンモード」、「グローブモード」等の４種類のタッチモードを有する（即ち、式（１）のＭは４である）と仮定すると、コントローラ１６０は、上記４種類のタッチモードに基づき、以下の表２に示すルックアップテーブルＬＵＴを設けることができる。ここで、「ハンドタッチモード」、「雨天モード」、「タッチペンモード」、「グローブモード」は、それぞれインデックス値「０」、「１」、「２」、「３」に対応する。これ以外に、タッチスクリーン１２０の現在のタッチモードは、「タッチペンモード」に設定することから、コントローラ１６０は、表２において、現在のタッチモード（即ち、「タッチペンモード」）に対応する第一インデックス値「２」を探し出すことができる。
【表２】
2019125348.tif 000005
【００２７】
現在のタッチモードが「タッチペンモード」である状況下で、ユーザーがボタンモジュール１４０のボタンを１回（または５回）押した場合、コントローラ１６０は、第一インデックス値ＩＮＸ１を２、ボタンが押された回数Ｎを１（または５）、これらのタッチモード数Ｍを４として、上記式（１）に代入すると、第二インデックス値ＩＮＸ２は３であると算出できる。続いて、コントローラ１６０は、得られた第二インデックス値と表２のインデックス値を比較して、上記４種類のタッチモードにおいて、第二インデックス値「３」に対応する「グローブモード」を探し出し、「グローブモード」を第一タッチモードとすることができる。それから、コントローラ１６０は、タッチスクリーン１２０の現在のタッチモードを「タッチペンモード」から「グローブモード」に切り換えることができる。
【００２８】
また、現在のタッチモードが「タッチペンモード」である状況下で、ユーザーがボタンモジュール１４０のボタンを２回（または６回）押した場合、コントローラ１６０は、第一インデックス値ＩＮＸ１を２、ボタンが押された回数Ｎを２（または６）、これらのタッチモード数Ｍを４として、上記式（１）に代入すると、第二インデックス値ＩＮＸ２は０であると算出できる。続いて、コントローラ１６０は、得られた第二インデックス値と表２のインデックス値を比較して、上記４種類のタッチモードにおいて、第二インデックス値「０」に対応する「ハンドタッチモード」を探し出し、「ハンドタッチモード」を第一タッチモードとすることができる。それから、コントローラ１６０は、タッチスクリーン１２０の現在のタッチモードを「タッチペンモード」から「ハンドタッチモード」に切り換えることができる。
【００２９】
理解できることは、ボタンモジュール１４０のボタンにより、タッチスクリーン１２０の現在のタッチモードを上記４種類のタッチモードにおいて、周期的に切り換えることができる。
【００３０】
以下、図１及び図６を併せて参照すると、図６は、本発明の実施形態に基づき図示された図１の電子装置の外観模式図である。ボタンモジュール１４０のボタン１４１（例えば、物理的なボタン）は、電子装置１００の側辺に設置できる。ユーザーがボタン１４１を押してタッチスクリーン１２０の現在のタッチモードを切り換える時、コントローラ１６０は、タッチスクリーン１２０の特定表示領域１２１に、タッチスクリーン１２０の現在のタッチモードを一時的に表示して、ユーザーがタッチスクリーン１２０の現在のタッチモードを知り得るようにできる。例を挙げると、タッチスクリーン１２０の現在のタッチモードが「ハンドタッチモード」から「雨天モード」に切り換える場合、コントローラ１６０は、タッチスクリーン１２０の特定表示領域１２１に、「雨天モード」を一時的に表示する。
【００３１】
以上より、本発明の実施形態が提出する電子装置及びそのタッチモード切換方法において、コントローラは、ボタンが押された回数に基づき、タッチスクリーンの現在のタッチモードを自動で切り換えることができる。したがって、ユーザーは、電子装置の作業システムにおいて、使用しようとするタッチモードのアプリケーションプログラムを検索して実行する必要は無く、電子装置のタッチモードを切り換える時にユーザーをさらに便利にさせる。
【００３２】
本文は以上の実施例のように示したが、これに限られるものではなく、当業者が本発明の精神の範囲から逸脱しない範囲において、変更又は修正することが可能であるが故に、本発明の保護範囲は均等の範囲にまで及ぶものとする。
【産業上の利用可能性】
【００３３】
本発明は、電子装置のタッチモードを切り換える時にユーザーをさらに便利にする電子装置及びタッチモード切換方法を提供する。
【符号の説明】
【００３４】
１００：電子装置
１２０：タッチスクリーン
１２１：特定表示領域
１４０：ボタンモジュール
１４１：ボタン
１６０：コントローラ
１８０：ストレージ
ＬＵＴ：ルックアップテーブル
ＴＳ：トリガー信号
【図１】
2019125348.tif 000008
【図２】
2019125348.tif 000009
【図３】
2019125348.tif 000010
【図４】
2019125348.tif 000011
【図５】
2019125348.tif 000012
【図６】
2019125348.tif 000013